(57)【要約】【課題】自動車内または一般家庭や店舗等において設置することのできる複数個のＬＥＤと音センサーを備えた装飾装置を提供する。【解決手段】筒状保持体１に複数個のＬＥＤ２と音センサー３を備え、前記ＬＥＤ２の電源スイッチ４をＯＮすると、人の話声、オーディオ機器、テレビやラジオ等の音声と関係なく、前記ＬＥＤ２が適宜間隔で複数の色による点滅を繰返す一方、前記ＬＥＤ２の電源スイッチ４を前記音センサー３が作動するよう切換えると、前記音声を音センサー３が検知して、該音声に反応して、前記ＬＥＤ２が点滅を繰返すよう構成されている。【選択図】図１
2018006170.tif 000002
【特許請求の範囲】
【請求項１】
筒状保持体に複数個のＬＥＤと音センサーを備え、前記ＬＥＤの電源スイッチをＯＮすると、人の話声、オーディオ機器、テレビやラジオ等の音声と関係なく、前記ＬＥＤが適宜間隔で複数の色による点滅を繰返す一方、前記ＬＥＤの電源スイッチを前記音センサーが作動するよう切換えると、前記音声を音センサーが検知して、該音声に反応して、前記ＬＥＤが点滅を繰返すことのできる複数個のＬＥＤと音センサーを備えた装飾装置であって、前記筒状保持体は、上端と下端をそれぞれ開口して上方開口部と下方開口部を備えた円筒状または多角形状の第１の中空筒状体と、該第１の中空筒状体の外周面に一体に嵌挿固定する、前記第１の中空筒状体よりやや径大で、且つ透明または半透明に形成された第２の中空筒状体とにより構成され、前記筒状保持体を構成する第１の中空筒状体の外周面には、複数個のＬＥＤを、間隔を有して導線を介して直列に接続したＬＥＤ群を設置固定して、前記第１の中空筒状体と第２の中空筒状体間に前記ＬＥＤ群を挟着したことを特徴とする複数個のＬＥＤと音センサーを備えた装飾装置。
【発明の詳細な説明】
【技術分野】
【０００１】
本発明は、複数個のＬＥＤ（発光ダイオード）と音センサーを備えた装飾装置であって、例えば、自動車内に設置したり、または一般家庭や店舗等において設置し、前記ＬＥＤの電源スイッチをＯＮすることにより、人の話声、オーディオ機器、テレビ、ラジオ等からの音声に反応することなく、前記ＬＥＤが適宜間隔で複数の色による点滅を繰り返す一方、前記ＬＥＤの電源スイッチを音センサーが作動するよう切換えると、前記音声を前記音センサーが検知して、該音声に反応して、前記ＬＥＤが点滅を繰返して、視覚的に美しく、且つ楽しく、更に豪華な雰囲気を与えることができる複数個のＬＥＤと音センサーを備えた装飾装置に関するものである。
【背景技術】
【０００２】
従来、自動車内における、人の話声、車載オーディオ機器からの演奏音等の音声を音センサーが検知して、該音声に反応して点滅を繰返すＬＥＤを備えた装飾装置を、自動車内に設置されたサンバイザー等の被取付部に、フック等の取付部材で取外し自在なるよう設置する装飾装置、並びに前記装飾装置を一般家庭や店舗等において、テーブルや商品陳列棚等に設置したものは、実用に供されておらず、また前記装飾装置につき、過去の特許文献を遡及検索しても、同一または類似する技術思想に関しては、１件も発見することはできなかった。
【発明の概要】
【発明が解決しようとする課題】
【０００３】
従来、自動車内、あるいは一般家庭または店舗等における人の話声、オーディオ機器、テレビやラジオ等からの音声を音センサーが検知して、該音声に反応して点滅を繰返すＬＥＤを備えた装飾装置を、自動車内のサンバイザー等の被取付部に、フック等の取付部材で取外し自在なるよう設置するようにしたものや、一般家庭や店舗等において、テーブルや商品陳列棚等に装置するようにしたものは実用に供されていないので、ＬＥＤの点滅による視覚的に美しく、且つ楽しく、更に豪華な雰囲気を与えることができないという課題があった。
【０００４】
本発明は、前記課題を解決すべくなされたものであって、筒状保持体に複数個のＬＥＤと音センサーを備えて形成された装飾装置であって、自動車内に設置されたサンバイザー等の被取付部に、フック等の取付部材で取外し自在なるよう設置したり、あるいはまたは一般家庭や店舗等において、テーブルや商品陳列棚、あるいは玄関や店頭の棚等に設置し、前記ＬＥＤの電源スイッチをＯＮすることにより、人の話声、オーディオ機器、テレビ、ラジオ等からの音声に反応することなく、前記ＬＥＤが適宜間隔で複数の色による点滅を繰り返す一方、前記ＬＥＤの電源スイッチを音センサーが作動するよう切換えると、前記音声を前記音センサーが検知して、該音声に反応して、前記ＬＥＤが点滅を繰返して、視覚的に美しく、且つ楽しく、更に豪華な雰囲気を与えることができ、更に店舗においては装飾効果を高めることができる複数個のＬＥＤと音センサーを備えた装飾装置に関するものである。
【課題を解決するための手段】
【０００５】
本発明は、筒状保持体に複数個のＬＥＤと音センサーを備え、前記ＬＥＤの電源スイッチをＯＮすると、人の話声、オーディオ機器、テレビやラジオ等の音声と関係なく、前記ＬＥＤが適宜間隔で複数の色による点滅を繰返す一方、前記ＬＥＤの電源スイッチを前記音センサーが作動するよう切換えると、前記音声を音センサーが検知して、該音声に反応して、前記ＬＥＤが点滅を繰返すことのできる複数個のＬＥＤと音センサーを備えた装飾装置であって、前記筒状保持体は、上端と下端をそれぞれ開口して上方開口部と下方開口部を備えた円筒状または多角形状の第１の中空筒状体と、該第１の中空筒状体の外周面に一体に嵌挿固定する、前記第１の中空筒状体よりやや径大で、且つ透明または半透明に形成された第２の中空筒状体とにより構成され、前記筒状保持体を構成する第１の中空筒状体の外周面には、複数個のＬＥＤを、間隔を有して導線を介して直列に接続したＬＥＤ群を設置固定して、前記第１の中空筒状体と第２の中空筒状体間に前記ＬＥＤ群を挟着するという手段を採用することにより、上記課題を解決した。
【発明の効果】
【０００６】
前記構成より成る本発明によれば、本発明装飾装置は、自動車内に設置したり、または一般家庭や店舗等において設置し、ＬＥＤの電源スイッチをＯＮすることにより、人の話声、オーディオ機器、テレビ、ラジオ等からの音声に反応することなく、前記ＬＥＤが適宜間隔で複数の色による点滅を繰り返す一方、前記ＬＥＤの電源スイッチを音センサーが作動するよう切換えると、前記音声を前記音センサーが検知して、該音声に反応して、前記ＬＥＤが点滅を繰返して、視覚的に美しく、且つ楽しく、更に豪華な雰囲気を与えることができると共に、店舗においては装飾効果を更に高めることができるので、集客効果も期待できるという優れた効果を奏することができる。
【図面の簡単な説明】
【０００７】
【図１】本発明複数個のＬＥＤと音センサーを備えた装飾装置の全体を示す斜視図である。
【図２】本発明複数個のＬＥＤと音センサーを備えた装飾装置における第１の中空筒状体の斜視図である。
【図３】本発明複数個のＬＥＤと音センサーを備えた装飾装置の組立分解斜視図である。
【図４】図１におけるＡ−Ａ線断面図である。
【図５】本発明複数個のＬＥＤと音センサーを備えた装飾装置における主装置収納部材の縦断面図である。
【図６】本発明複数個のＬＥＤと音センサーを備えた装飾装置における電気回路の一例を示す概略回路図である。
【図７】本発明複数個のＬＥＤと音センサーを備えた装飾装置を自動車のサンバイザーに取付けた状態を示す概略斜視図である。
【図８】本発明複数個のＬＥＤと音センサーを備えた装飾装置を自動車のダッシュボードに設置した状態を示す概略斜視図である。
【図９】本発明複数個のＬＥＤと音センサーを備えた装飾装置に造花を挿入し、棚板上に載置した状態を示す概略斜視図である。
【図１０】本発明複数個のＬＥＤと音センサーを備えた装飾装置に生花を生けた花瓶を挿入し、棚板上に載置した状態を示す概略斜視図である。
【実施例】
【０００８】
本発明は、筒状保持体１に複数個のＬＥＤ２と音センサー３を備え、前記ＬＥＤ２の電源スイッチ４をＯＮすると、人の話声、オーディオ機器、テレビやラジオ等の音声と関係なく、前記ＬＥＤ２が適宜間隔で複数の色による点滅を繰返す一方、前記ＬＥＤ２の電源スイッチ４を前記音センサー３が作動するよう切換えると、前記音声を音センサー３が検知して、該音声に反応して、前記ＬＥＤ２が点滅を繰返すことのできる複数個のＬＥＤと音センサーを備えた装飾装置であって、以下本発明の実施例を図面に基づいて詳細に説明する。
【０００９】
前記筒状保持体１は、上端と下端をそれぞれ開口して上方開口部５と下方開口部６を備えた円筒状または多角形状の第１の中空筒状体７と、該第１の中空筒状体７の外周面に一体に嵌挿固定する、前記第１の中空筒状体７よりやや径大な第２の中空筒状体８とにより構成されている。
【００１０】
前記筒状保持体１を構成する第１の中空筒状体７は、例えば、ポリ塩化ビニールやポリエチレン等のプラスチック、または前記第１の中空筒状体７としての保型性を保つことができる程度の硬度性を有するシリコーンゴム等のゴムにより形成されると共に、該第１の中空筒状体７の外周面には、複数個のＬＥＤ２を、間隔を有して導線９を介して直列に接続されたＬＥＤ群１０が、例えば、接着材により接着して設置固定されている。そして、前記複数個のＬＥＤ２を、間隔を有して直列に接続した導線９の形状は、前記第１の中空筒状体７の外周面に螺旋状に巻回してもよいし、またはジグザグ状に巻回する等、任意である。
【００１１】
前記ＬＥＤ群１０を構成する各ＬＥＤ２は、該各ＬＥＤ２を一定間隔で、複数個の色により繰返して点滅させることができるものであれば、いずれも採用することができるが、ＬＥＤ内部に、該ＬＥＤを一定間隔で、複数個の色により繰返して点滅させることができるよう、予めプログラムされた制御ＩＣを内蔵した自己点滅ＬＥＤ、または、イルミネーションＬＥＤを使用することが推奨される。これにより、前記各ＬＥＤ２を、前記制御ＩＣに予めプログラムされた間隔で、複数個の色により点滅を繰返すことができるよう形成されている。
【００１２】
前記第１の中空筒状体７の外周面の上方側には、前記音センサー３、電源スイッチ４およびＬＥＤ２に電源を供給する電池１１等の主装置を内設した主装置収納部材１２が固定されている。前記主装置収納部材１２は、前記音センサー３、電源スイッチ４および電池１１等の主装置の取付けおよび操作が容易になるような構成であればよく、その構成は特に限定する必要はないが、好ましくは図５に示すような箱型の構成とすることが推奨される。また、前記音センサー３および電源スイッチ４は、特に限定する必要はないが、前記主装置収納部材１２内に設置しなくても、前記音声を検知し易い位置およびスイッチのＯＮ・ＯＦＦ操作がし易い位置に設置してもよい。本実施例を示す図５においては、前記主装置収納部材１２は、中空筒状体７の外周面の上方側に取付けられているが、本発明装飾装置を装置する位置によっては、前記中空筒状体７の外周面の下方側に取付けてもよい。そして、本実施例においては、主装置収納部材１２は箱型に形成され、且つ前記音センサー３および電源スイッチ４が前記主装置収納部材１２内に設置されているものとして説明する。
【００１３】
前記主装置収納部材１２に収納される、前記各ＬＥＤ２に電源を供給する電池１１は、所謂「ボタン電池」といわれているアルカリ電池、リチウム電池等の超小型電池、または繰返し充電可能なリチウムイオン電池のいずれも使用することができる。本発明においては、特に限定する必要はないが、好ましくは、繰返し充電可能なリチウムイオン電池を使用することが推奨される。以下、本発明においては、リチウムイオン電池を使用するものとして説明する。
【００１４】
前記主装置収納部材１２は、内部に電池収納部１３と音センサー収納部１４とが設置されており、該電池収納部１３には前記電池１１のプラス側とマイナス側に接続する接続端子（図示省略）がそれぞれ設けられて、前記導線９に接続され、更に、前記主装置収納部材１２には蓋片１５が開閉自在に設置されている。また、前記電池収納部１３には、前記電池１１を取外すことなく、充電することができるよう、充電用ＵＳＢに接続する接続端子１６が設置されている。
【００１５】
更に、前記主装置収納部材１２の上端部に開口部１７が開口され、前記音センサー収納部１４に収納された音センサー３のセンサー部１８が、前記開口部１７において露出して設置されている。前記音声を前記音センサー３で検知すると、その検知信号は増幅部１９によって増幅され、該増幅された検知信号は制御部２０によって制御され、その出力信号によって、前記音声に反応して、前記ＬＥＤ２の点滅を繰り返すことができるよう構成されている。
【００１６】
また、前記主装置収納部材１２の適位置には、３段に切り換えることができる電源スイッチ４が設置されており、該電源スイッチ４の切り換えにより、前記電池１１に導線９を介して接続されたＬＥＤ２、または、音センサー３を介在せしめて、電池１１に導線９を介して接続されたＬＥＤ２に、選択して電源を供給することができるよう形成されている。前記電源スイッチ４は、前記３段に切り換えることのできる電源スイッチであれば、いずれも採用することができる。そして、前記電源スイッチ４としては、プッシュスイッチ、スライドスイッチおよびロータリースイッチのいずれの使用することができるが、本発明においては、特に限定する必要はないが、好ましくは、図１に示すよう、操作性の面からプッシュスイッチを使用することが推奨される。以下、電源スイッチ４としてプッシュスイッチを使用するものとして説明する。
【００１７】
前記電源スイッチ４としてプッシュスイッチを使用する場合、該プッシュスイッチの第１のプッシュ操作で、電源がＯＮされると同時にＬＥＤ２に通電されると、前記音声に反応することなく、前記各ＬＥＤ２が制御ＩＣに予めプログラムされた間隔で、複数個の色により点滅を繰返すことができる。すなわち、前記各ＬＥＤ２は、前記音声がなくても点滅を繰返すことになる。
【００１８】
そして、前記電源スイッチ４の第２のプッシュ操作で、前記音センサー３側に電源が切換り、前記音声を前記音センサー３で検知することができるような状態となり、前記音声に反応して、前記ＬＥＤ２の点滅を繰り返すことができる。この場合、前記音声が途絶えると、その間は、前記ＬＥＤ２は点滅せず、消灯したままの状態となる。そして再び、前記音声が再開されると、再度前記ＬＥＤ２の点滅を繰り返すことになる。
【００１９】
その後、前記音センサー３が作動している状態で、前記電源スイッチ４の第３のプッシュ操作をすることにより、電源ＯＦＦとなり、前記ＬＥＤ２の点滅作動が停止する。以下、前記電源スイッチ４の前記各プッシュ操作により、前記各作動を繰返すことができる。
【００２０】
一方、前記筒状保持体１を構成する第２の中空筒状体８は、前記複数個のＬＥＤ２を装置固定した第１の中空筒状体７の外周面に装着固定されて、前記ＬＥＤ群１０を保護するものであって、前記ＬＥＤ２の光が外部より透けて見えるか、あるいは滲んで見えるような透明または半透明のプラスチック、例えば、ポリ塩化ビニールやポリエチレン等のプラスチック、または前記第２の中空筒状体８としての保型性を保つことができる程度の硬度性を有するシリコーンゴム等のゴムにより形成される。
【００２１】
そして、前記構成より成る筒状保持体１を構成する第２の中空筒状体８が、前記複数個のＬＥＤ２を装置固定した前記第１の中空筒状体７の外周面上に装着固定されて、該第１の中空筒状体７と第２の中空筒状体８間に前記ＬＥＤ群１０を挟着して一体に固定して、本発明装飾装置が形成される。
【００２２】
なお、図中、２１は、前記第１の中空筒状体７の上方外周面に固定された主装置収納部材１２が、前記第２の中空筒状体１２より外部に露出して位置できるよう、切り欠いた凹欠部である。そして、図３示すように、前記主装置収納部材１２を固定した第１の中空筒状体７を、前記第２の中空筒状体８の上方より挿入して下方へ移動させることにより、該主装置収納部材１２が凹欠部２１部分に位置して外部に露出すると共に、前記第２の中空筒状体８が第１の中空筒状体７の外周面に、一体に装着固定される。
【００２３】
そして、前記構成より成る本発明装飾装置の使用例として、本発明装飾装置を自動車内に設置する場合について説明する。本発明装飾装置を自動車に設置する場合、図７に示すように、上方開口部５には、自動車２２内の被取付部２３に、本発明装飾装置を固定するための取付部材２４が固定されている。前記自動車２２内の被取付部２３としては、例えば、自動車２２内の運転席の前方に設置されたサンバイザー、あるいはダッシュボード等であり、また前記取付部材２４としては、例えば、フック、クリップあるいは吸盤等であり、本発明においては、前記した各被取付部２３および取付部材２４のいずれかを適宜組み合わせて使用することができる。
【００２４】
前記取付部材２４は、本発明装飾装置を被取付部２３に取外し可能に取付けることができるものであれば、いずれも採用することができる。そして、本実施例においては、説明の都合上、図７に示すように、被取付部２３としてサンバイザー２３ａを採用し、また取付部材２４としてフック２４ａを採用するものとして説明する。
【００２５】
すなわち、図７に示すように、本発明装飾装置の上方開口部５に上蓋２５を被冠固定し、且つ該上蓋２５に、前記サンバイザー２３ａに挟着できるフック２４ａを３６０度回動可能に軸支することにより取付部材２４が形成されている。前記構成より成る取付部材２４を使用することにより、本発明装飾装置を被取付部２３に、回動可能で、且つ取外し可能に取付けることが可能となる。なお、本発明装飾装置の下方開口部６には、下蓋２６を取付けて、前記下方開口部６を遮蔽することが推奨されるが、前記下蓋２６の代りに、図示していないが、前記下方開口部６を遮蔽する役目を果たす造花等の装飾部材を取付けてもよい。
【００２６】
前記のように、サンバイザー２３ａにフック２４ａを介して本発明装飾装置を取付け、電源スイッチ４の第１のＯＮ操作で、各ＬＥＤ２が電気的に接続され、これにより、自動車２２内の人の話声、車載オーディオ機器からの演奏音等の音声に反応することなく、前記制御ＩＣのプログラムに基づき、前記ＬＥＤ２が適宜間隔で複数の色による点滅を繰り返すことができる。その後、電源スイッチ４の第２のＯＮ操作で、前記音センサー３側に電源が切換り、自動車２２内の人の話声、車載オーディオ機器からの演奏音等の音声を、前記音センサー３が検知することができるような状態となり、前記音声に反応して、前記ＬＥＤ２の点滅を繰り返すことができるので、視覚的に美しく、且つ楽しく、更に豪華な雰囲気を与えることができ、また運転者の眠気を除去することもできるのである。
【００２７】
前記したものは、本発明装飾装置を自動車内の被取付部２３に取付部材２４を使用して取付けるようにしたものであるが、図８に示すように、本発明装飾装置を、単に自動車内のダッシュボード等のような平面的な設置面２７に接着材（図示せず）等により貼着固定してもよい。この場合、上方開口部７に上蓋を取付けるか否かは、任意である。なお、上方開口部５に上蓋を取付けない場合、図８に示すように、上方開口部５より造花等の装飾部材２８を挿入してもよい。
【００２８】
次に、前記構成より成る本発明装飾装置の他の使用例として、本発明装飾装置を一般家庭や店舗等において使用する場合について説明する。すなわち、本発明装飾装置を一般家庭や店舗等において使用する場合、図９に示すように、上方開口部５に上蓋を取付けることなく開放し、下方開口部６には、下蓋２６を取付けて閉止し、前記上方開口部５より造花２９を挿入したり、または図１０に示すように、前記上方開口部５と下方開口部６とに上蓋と下蓋とを取付けることなく開放し、生花３１を生けた花瓶３２を挿入したりして、テーブルや商品陳列棚、あるいは玄関や店頭等の設置面３０に設置することにより、視覚的に美しく、且つ楽しく、更に豪華な雰囲気を与えることができ、更に店舗においては装飾効果を高めることができるのである。
【００２９】
前記のように、本発明装飾装置を一般家庭や店舗等において使用する場合も、前記自動車に設置した場合と同様に、電源スイッチ４の第１のＯＮ操作で、各ＬＥＤ２が電気的に接続され、これにより、人の話声や回りの音等の音声に反応することなく、前記制御ＩＣのプログラムに基づき、前記ＬＥＤ２が適宜間隔で複数の色による点滅を繰り返すことができる。その後、電源スイッチ４の第２のＯＮ操作で、前記音センサー３側に電源が切換り、前記音声を、前記音センサー３が検知することができるような状態となり、前記音声に反応して、前記ＬＥＤ２の点滅を繰り返すことができるので、視覚的に美しく、且つ楽しく、更に豪華な雰囲気を与えることができ、また店舗の場合、装飾効果を更に高めることができるので、集客効果も期待することもできるのである。
【符号の説明】
【００３０】
１  筒状保持体
２  ＬＥＤ
３  音センサー
４  電源スイッチ
５  上方開口部
６  下方開口部
７  第１の中空筒状体
８  第２の中空筒状体
９  導線
１０  ＬＥＤ群
１１  電池
１２  主装置収納部材
１３  電池収納部
１４  音センサー収納部
１５  蓋片
１６  接続端子
１７  開口部
１８  センサー部
１９  増幅部
２０  制御部
２１  凹欠部
２２  自動車
２３  被取付部
２３ａ  サンバイザー
２４  取付部材
２４ａ  フック
２５  上蓋
２６  下蓋
２７  設置面
２８  装飾部材
２９  造花
３０  設置面
３１  生花
３２  花瓶
【図１】
2018006170.tif 000003
【図２】
2018006170.tif 000004
【図３】
2018006170.tif 000005
【図４】
2018006170.tif 000006
【図５】
2018006170.tif 000007
【図６】
2018006170.tif 000008
【図７】
2018006170.tif 000009
【図８】
2018006170.tif 000010
【図９】
2018006170.tif 000011
【図１０】
2018006170.tif 000012